(57)【特許請求の範囲】
【請求項１】
入力ポートから出力ポートまでを接続する伝送線路と、
前記伝送線路上において、前記入力ポートから入力した複数のキャリア周波数帯域を含む信号のうち所定の第１周波数帯域を通過させる第１帯域通過フィルタと、
前記第１帯域通過フィルタを通過した信号を入力し、前記伝送線路から分岐した線路に出力するサーキュレータと、
前記分岐した線路上において、前記サーキュレータから入力した、前記第１帯域通過フィルタを通過した信号のうち所定の第２周波数帯域を通過させる第２帯域通過フィルタと、
前記第２帯域通過フィルタを通過した信号を終端する終端器と、
前記第２帯域通過フィルタを通過した信号を前記終端器で終端するかどうかを切り替える切替手段と、
を備え、
前記サーキュレータは、さらに、前記第２帯域通過フィルタから入力した信号を前記出力ポートに出力する、
通信装置。
【請求項２】
前記第２帯域通過フィルタ及び前記終端器の組が、前記伝送線路から複数分岐して接続されている
請求項１に記載の通信装置。
【請求項３】
前記第２帯域通過フィルタは、
前記複数のキャリア周波数のうち少なくとも何れか一つの側波帯を含む周波数帯域を通過させる
請求項１または請求項２に記載の通信装置。
【請求項４】
請求項１から請求項３の何れか一項に記載の通信装置を備える
基地局装置。
【請求項５】
入力ポートから出力ポートまでを接続する伝送線路を用いて信号を伝送する通信方法であって、
前記伝送線路上において、前記入力ポートから、複数のキャリア周波数帯域を含む信号を、所定の第１周波数帯域を通過させる第１帯域通過フィルタに入力するステップと、
前記第１帯域通過フィルタを通過した信号をサーキュレータに入力し、前記伝送線路から分岐した線路に出力するステップと、
前記分岐した線路上において、前記サーキュレータを介して入力した、前記第１帯域通過フィルタを通過した信号を、所定の第２周波数帯域を通過させる第２帯域通過フィルタに入力するステップと、
前記第２帯域通過フィルタを通過した信号を終端器で終端するかどうかを切り替えるステップと、
を有し、
前記サーキュレータは、さらに、前記第２帯域通過フィルタから入力される信号を前記出力ポートに出力する、
通信方法。
【発明の詳細な説明】
【技術分野】
【０００１】
本発明は、通信装置、基地局装置及び通信方法に関する。
【背景技術】
【０００２】
モバイルネットワークの基地局装置に用いられるＲＦシステムは、次世代の通信技術開発に向け、更なる高機能化、高品質化が求められている。
次世代の通信技術に対応するＲＦシステムの開発にあたっては、無線通信サービスの運用状況に応じて、帯域通過フィルタ（バンドパスフィルタ）の帯域通過特性を動的に変化させるニーズがある。
【０００３】
その手法の一つとしては、例えば、帯域通過特性（通過周波数帯域）がそれぞれ異なる複数の帯域通過フィルタを予め用意するとともに、ＲＦシステムの運用に合わせて、スイッチ素子を通じてこれらを切り替えることで、運用周波数帯域を所望に変更することができる。
【０００４】
なお、上記に関連する技術として、例えば特許文献１には、複数の周波数帯域の信号に対し、スイッチ素子等によって接続する回路素子を適宜切り替えて、効率的に動作する整合回路が開示されている。
【先行技術文献】
【特許文献】
【０００５】
【特許文献１】特開２００８−１１３２０２号公報
【発明の概要】
【発明が解決しようとする課題】
【０００６】
ＲＦシステムの運用に合わせて運用周波数帯域を切り替える場合、スイッチ素子の切り替えのタイミングで信号の瞬断が生じ得ることが懸念される。また、スイッチ素子の切り替えの前後において、通信品質が変化（劣化）し得ることも懸念される。
【０００７】
本発明は、このような課題を解決するためになされたものであり、その目的は、信号の瞬断を生じさせず、かつ、通過周波数帯域を高性能に切り替え可能な通信装置、基地局装置及び通信方法を提供することにある。
【課題を解決するための手段】
【０００８】
本発明の一態様は、複数のキャリア周波数帯域を含む所定の第１周波数帯域を通過させる第１帯域通過フィルタと、前記第１帯域通過フィルタを通過した信号のうち所定の第２周波数帯域を通過させる第２帯域通過フィルタと、前記第２帯域通過フィルタを通過した信号を終端する終端器と、を備え、前記第２帯域通過フィルタを通過した信号を終端するかどうかを切り替える通信装置である。
【０００９】
また、本発明の一態様は、上述の通信装置を備える基地局装置である。
【００１０】
また、本発明の一態様は、第１帯域通過フィルタにより複数のキャリア周波数帯域を含む所定の第１周波数帯域を通過させるステップと、第２帯域通過フィルタにより前記第１帯域通過フィルタを通過した信号のうち所定の第２周波数帯域を通過させるステップと、前記第２帯域通過フィルタを通過した信号を終端するステップと、前記第２帯域通過フィルタを通過した信号を終端するかどうかを切り替えるステップと、を有する通信方法である。
【発明の効果】
【００１１】
上述の通信装置、基地局装置及び通信方法によれば、信号の瞬断を生じさせず、かつ、通過周波数帯域を高性能に切り替えることができる。
【図面の簡単な説明】
【００１２】
【図１】第１の実施形態に係る通信装置の最小限の構成を示す図である。
【図２】第１の実施形態に係る通信装置の具体的な機能構成を示す図である。
【図３】第１の実施形態に係る通信装置全体の特性を説明する第１の図である。
【図４】第１の実施形態に係る通信装置全体の特性を説明する第２の図である。
【図５】第１の実施形態の変形例に係る通信装置の具体的な機能構成を示す図である。
【図６】第１の実施形態の他の変形例に係る通信装置の具体的な機能構成を示す図である。
【発明を実施するための形態】
【００１３】
＜第１の実施形態＞
以下、第１の実施形態に係る通信装置について、図１〜図４を参照しながら詳細に説明する。ただし、以下に述べる各実施形態においては、本発明を実施するために技術的に好ましい限定がなされているが、発明の範囲を以下の各実施形態のみに限定するものではない。
【００１４】
図１は、第１の実施形態に係る通信装置の最小限の構成を示す図である。
図１に示すように、通信装置１は、複数のキャリア周波数帯域を含む所定の第１周波数帯域を通過させる第１帯域通過フィルタ１０を備えている。
また、通信装置１は、第１帯域通過フィルタ１０を通過した信号のうち所定の第２周波数帯域を通過させる第２帯域通過フィルタ１１１を備えている。
また、通信装置１は、第２帯域通過フィルタ１１１を通過した信号を終端する終端器１２１を備えている。
そして、通信装置１は、第２帯域通過フィルタ１１１を通過した信号を終端するかどうかを切り替える。
通信装置１は、オペレータによる無線通信サービスを実現するために各地に設置される基地局装置に搭載される。
【００１５】
（通信装置の機能構成）
図２は、第１の実施形態に係る通信装置の具体的な機能構成を示す図である。
図２に示すように、通信装置１は、第１入出力ポートＰ１と、第２入出力ポートＰ２と、第１帯域通過フィルタ１０と、第２帯域通過フィルタ１１１と、終端器１２１と、スイッチ素子Ｓ１と、サーキュレータＣ１と、を備えている。
上述の各種機能構成は、それぞれ、図２に示すように電気的に接続され、高周波回路（ＲＦ回路）をなしている。
【００１６】
図２に示すように、第１入出力ポートＰ１から第２入出力ポートＰ２までは、伝送線路である主信号ラインＱによって電気的に接続されている。主信号ラインＱは、送信信号が主として伝送される信号ラインである。第１入出力ポートＰ１に入力された伝送信号は、主信号ラインＱを伝送し、第２入出力ポートＰ２から出力される。
【００１７】
以下の説明においては、第１入出力ポートＰ１を入力ポートとし、第２入出力ポートＰ２を出力ポートとして、第１入出力ポートＰ１から第２入出力ポートＰ２へと送信信号を伝送する場合における通信装置１の各種機能構成を説明する。
なお、実際には、第２入出力ポートＰ２は、アンテナ素子を通じて受信した受信信号を入力する入力ポートとしても機能し、第１入出力ポートＰ１は、当該受信信号を出力する送受信機能部に出力する出力ポートとしても機能する。
【００１８】
図２に示すように、第１帯域通過フィルタ１０及びサーキュレータＣ１は、主信号ラインＱ上において、第１入出力ポートＰ１から第２入出力ポートＰ２にかけて、第１帯域通過フィルタ１０、サーキュレータＣ１の順で直列に接続されている。
【００１９】
第１入出力ポートＰ１には、無線通信用の送信信号の生成・出力処理（及び、受信信号の読み取り処理）を行う送受信機能部（図示せず）が接続される。第１入出力ポートＰ１へ入力された送信信号は、主信号ラインＱを通じて第１帯域通過フィルタ１０へと伝送する。
また、第２入出力ポートＰ２には、アンテナ素子（図示せず）が接続される。アンテナ素子に伝送された送信信号は、当該アンテナ素子を通じて電磁波となり、大気中に放射される。
なお、本実施形態において、上述の送受信機能部が出力する送信信号は、例として、２種類の異なるキャリア周波数帯域（後述する「キャリアＡ０」、「キャリアＡ１」）からなる高周波信号（ＲＦ信号）であるものとする。
【００２０】
第１帯域通過フィルタ１０は、入力された送信信号のうち、予め規定された周波数帯域の信号を通過させる。
ここで、後述するように、第１帯域通過フィルタ１０は、複数のキャリア周波数帯域（「キャリアＡ０」、「キャリアＡ１」）を含む所定の第１周波数帯域を通過させるように設計されている。
第１帯域通過フィルタ１０を通過した送信信号は、サーキュレータＣ１に伝送される。
【００２１】
サーキュレータＣ１は、第１帯域通過フィルタ１０と接続する伝送線路を通じて入力された送信信号を、第２帯域通過フィルタ１１１と接続する伝送線路に出力する。また、サーキュレータＣ１は、第２帯域通過フィルタ１１１が接続された伝送線路を通じて入力された送信信号を第２入出力ポートＰ２に向けて出力する。更に、サーキュレータＣ１は、第２入出力ポートＰ２へ入力された受信信号を第１帯域通過フィルタ１０が接続される伝送線路に出力する。
【００２２】
図２に示すように、第２帯域通過フィルタ１１１、スイッチ素子Ｓ１及び終端器１２１は、サーキュレータＣ１からグランドにかけて、第２帯域通過フィルタ１１１、スイッチ素子Ｓ１、終端器１２１の順で直列に接続される。換言すると、第２帯域通過フィルタ１１１、スイッチ素子Ｓ１及び終端器１２１は、主信号ラインＱから（サーキュレータＣ１を介して）分岐してシャント接続される。
【００２３】
第２帯域通過フィルタ１１１は、第１帯域通過フィルタ１０を通過した送信信号のうち所定の第２周波数帯域を通過させる。
なお、後述するように、第２帯域通過フィルタ１１１は、複数のキャリア周波数のうち、無線通信サービスの運用にあたって使用する特定のキャリア周波数（例えば「キャリアＡ０」）の側波帯を含む所定の周波数帯域を通過するように調整されている。
第２帯域通過フィルタ１１１を通過した送信信号は、スイッチ素子Ｓ１に向けて伝送される。
【００２４】
スイッチ素子Ｓ１は、第２帯域通過フィルタ１１１を通過した信号を終端するかどうかを切り替える。換言すると、スイッチ素子Ｓ１は、高周波回路上における第２帯域通過フィルタ１１１の有効、無効を切り替える。具体的には、スイッチ素子Ｓ１は、上述の送受信機能部から別途入力されるスイッチ制御信号に応じて、伝送線路を電気的に短絡又は開放する。
ここで、本実施形態では、無線通信サービスの運用上規定された単位フレーム内において、キャリアＡ０及びキャリアＡ１の両方を用いて無線通信を行う期間と、キャリアＡ０のみを用いて無線通信を行う期間と、が予め設定されている。上述の送受信機能部は、当該単位フレームについての情報に基づいて、キャリアＡ０及びキャリアＡ１の両方を用いて無線通信を行う期間にスイッチ素子Ｓ１を開放させ、また、キャリアＡ０のみを用いて無線通信を行う期間に合わせてスイッチ素子Ｓ１を短絡させる制御を行う。
スイッチ素子Ｓ１が開放されている場合、第２帯域通過フィルタ１１１を通過した送信信号は、スイッチ素子Ｓ１の開放端で全て（１００％）反射してサーキュレータＣ１に戻される。そうすると、結局、送信信号の全ての周波数成分が第２入出力ポートＰ２に向けて出力されるので、第２帯域通過フィルタ１１１は、通信装置１の高周波回路上において無効化される。
一方、スイッチ素子Ｓ１が短絡されている場合、第２帯域通過フィルタ１１１を通過した送信信号は、スイッチ素子Ｓ１を通じて終端器１２１に伝送される。
【００２５】
終端器１２１は、入力された送信信号を終端（ターミネート）する素子である。具体的には、終端器１２１は、第２帯域通過フィルタ１１１を通過した送信信号を熱に変換して消去させる。これにより、第２帯域通過フィルタ１１１を通過した送信信号を、他の伝送線路及び回路素子に反射させないようにする。
【００２６】
ここで、スイッチ素子Ｓ１が短絡されている場合、第１帯域通過フィルタ１０を通過した送信信号のうち、第２帯域通過フィルタ１１１を通過した周波数成分のみが終端器１２１で終端される。そうすると、第１入出力ポートＰ１から第２入出力ポートＰ２へと伝送する送信信号のうち、第２帯域通過フィルタ１１１の通過帯域（第２周波数帯域）に属する周波数成分のみが除去されて第２入出力ポートＰ２に伝送されなくなる。
即ち、サーキュレータＣ１、第２帯域通過フィルタ１１１及び終端器１２１は、第２周波数帯域に属する周波数成分を除去する帯域除去フィルタ（Band Eliminate Filter；ＢＥＦ）として機能する。
【００２７】
（通信装置の特性）
図３は、第１の実施形態に係る通信装置全体の特性を説明する第１の図である。
図３に示す帯域通過特性Ｇ１は、第１帯域通過フィルタ１０が通過させる第１周波数帯域を示している。図３に示すように、第１周波数帯域は、通信装置１を扱うオペレータに割り当てられた運用周波数帯域を全て含む。本実施形態においては、第１帯域通過フィルタ１０の第１周波数帯域は、オペレータに割り当てられた２つのキャリア周波数帯域であるキャリアＡ０及びキャリアＡ１の両方を含むものとされる。
なお、スイッチ素子Ｓ１が開放されている場合、第２帯域通過フィルタ１１１は、高周波回路上において無効化されている。したがって、帯域通過特性Ｇ１は、スイッチ素子Ｓ１が開放されている場合における通信装置１全体の帯域通過特性となる。
オペレータは、無線通信サービスの運用にあたりキャリアＡ０及びキャリアＡ１の両方を用いて無線通信を行う場合、スイッチ素子Ｓ１を開放させる。これにより、送信信号をなす複数のキャリア周波数帯域であるキャリアＡ０及びキャリアＡ１の両方が、そのまま、第１入出力ポートＰ１から第２入出力ポートＰ２へと伝送される。
【００２８】
なお、図３に示すように、送信信号をなす複数のキャリア周波数帯域であるキャリアＡ０及びキャリアＡ１は、周波数軸上において互いに隣接して設けられている。具体的には、キャリアＡ０は周波数ｆ１〜ｆ２の周波数帯域をなし、キャリアＡ１は周波数ｆ２〜ｆ３の周波数帯域をなしている（ｆ１＜ｆ２＜ｆ３とする）。
また、キャリアＡ１の高周波側に隣接する周波数帯域は、通信装置１を扱うオペレータとは異なる他のオペレータに割り当てられた運用周波数帯域である。
【００２９】
図４は、第１の実施形態に係る通信装置全体の特性を説明する第２の図である。
図４に示す帯域通過特性Ｇ２は、第２帯域通過フィルタ１１１及び終端器１２１からなる帯域除去フィルタの帯域通過特性である。この帯域除去フィルタは、第２帯域通過フィルタ１１１の第２周波数帯域に対応する周波数帯域のみを除去する。即ち、第２帯域通過フィルタ１１１を通過した送信信号のみが終端器１２１によって終端される。
スイッチ素子Ｓ１が短絡されている場合、第２帯域通過フィルタ１１１が高周波回路上において有効化されるので、通信装置１全体の帯域通過特性Ｇ３は、帯域通過特性Ｇ１と帯域通過特性Ｇ２とを足し合せた特性となる（図４参照）。
【００３０】
ここで、スイッチ素子Ｓ１が短絡されている場合における通信装置１全体の帯域通過特性Ｇ３は、通信装置１を扱うオペレータの運用周波数帯域と、他のオペレータの運用周波数帯域と、の境界周波数（周波数ｆ３）を含む所定の周波数帯域を除去する特性とされている。つまり、第２帯域通過フィルタ１１１の第２周波数帯域が、境界周波数（周波数ｆ３）を含むように設計されている。換言すると、第２帯域通過フィルタ１１１の第２周波数帯域は、第１帯域通過フィルタ１０の第１周波数帯域にほぼ包含されており、当該第１周波数帯域よりも狭い周波数帯域であって、特に、第１周波数帯域の高域部分に規定される。
これにより、送信信号（キャリアＡ０）の側波帯のうち、第２周波数帯域に属する周波数成分が除去されるため、他のオペレータの運用周波数帯域への不要波電力を抑圧することができる。
なお、この場合、オペレータは、キャリアＡ０のみを用いて無線通信サービスの運用を行う。
【００３１】
（作用効果）
以上、第１の実施形態に係る通信装置１によれば、第１帯域通過フィルタ１０を通過した送信信号のうち、更に第２帯域通過フィルタ１１１を通過した周波数成分（第２周波数帯域に属する周波数成分）のみが終端器１２１に伝送される態様となっている。そして、スイッチ素子Ｓ１により、第２帯域通過フィルタ１１１のみの有効化、無効化が切り替えられる態様となっている。
このようにすることで、スイッチ素子Ｓ１の切り替えに関わらず、少なくとも第１帯域通過フィルタ１０を通過した送信信号は、常に出力ポート（第２入出力ポートＰ２）を通じて出力されるため、スイッチ素子Ｓ１の切り替えのタイミングで送信信号の瞬断が生じることはない。
また、送信信号のうちの所望する周波数成分（不要波）のみが終端器１２１において熱となって消費されるので、送信信号から当該所望する周波数成分だけを確実に除去することができる。したがって、無線通信サービスの運用に合わせて、スイッチ素子Ｓ１を用いて運用周波数帯域を切り替える場合、当該切り替えの前後において通信品質の変化が生じることを抑制することができる。
【００３２】
また、第１の実施形態に係る通信装置１によれば、第２帯域通過フィルタ１１１は、無線通信サービスの運用にあたって使用するキャリア周波数（例えばキャリアＡ０）の側波帯を含む周波数帯域のみを通過させる。
このようにすることで、キャリア周波数の側波帯に属する不要波が除去されるので、他のオペレータの運用周波数帯域に属する不要波の放射を抑制することができる。
【００３３】
以上、第１の実施形態に係る通信装置１によれば、送信信号の瞬断を生じさせず、かつ、通過周波数帯域を高性能に切り替えることができる。
【００３４】
第１の実施形態に係る通信装置１について詳細に説明したが、通信装置１の具体的な態様は、上述のものに限定されることはなく、要旨を逸脱しない範囲内において種々の設計変更等を加えることは可能である。
【００３５】
＜第１の実施形態の変形例＞
図５は、第１の実施形態の変形例に係る通信装置の具体的な機能構成を示す図である。
図５に示すように、本変形例に係る通信装置１は、第１の実施形態の構成に加え、更に、λ／４伝送線路Ｌ、第２帯域通過フィルタ１１２と、終端器１２２と、スイッチ素子Ｓ２と、サーキュレータＣ２と、を備えている。
【００３６】
サーキュレータＣ２は、主信号ラインＱ上において、サーキュレータＣ１と第２入出力ポートＰ２との間に接続される。また、サーキュレータＣ１とサーキュレータＣ２とは、λ／４伝送線路Ｌで接続される。
ここで、λ／４伝送線路Ｌは、送信信号の波長λの１／４の長さとされた伝送線路である。
【００３７】
サーキュレータＣ２は、λ／４伝送線路Ｌを通じて入力された送信信号を、第２帯域通過フィルタ１１２と接続する伝送線路に出力する。また、サーキュレータＣ２は、第２帯域通過フィルタ１１２が接続された伝送線路を通じて入力された送信信号を第２入出力ポートＰ２に向けて出力する。更に、サーキュレータＣ２は、第２入出力ポートＰ２から入力された受信信号をλ／４伝送線路Ｌが接続される伝送線路に出力する。
【００３８】
図５に示すように、第２帯域通過フィルタ１１２、スイッチ素子Ｓ２及び終端器１２２は、サーキュレータＣ２からグランドにかけて、第２帯域通過フィルタ１１２、スイッチ素子Ｓ２、終端器１２２の順で直列に接続される。換言すると、第２帯域通過フィルタ１１２、スイッチ素子Ｓ２及び終端器１２２は、主信号ラインＱから（サーキュレータＣ２を介して）分岐してシャント接続される。
これにより、第２帯域通過フィルタ１１１、スイッチ素子Ｓ１及び終端器１２１と、第２帯域通過フィルタ１１２、スイッチ素子Ｓ２及び終端器１２２とは、主信号ラインＱとグランドとの間で並列に接続される態様となる。
【００３９】
第２帯域通過フィルタ１１２は、第２帯域通過フィルタ１１１と同様の第２周波数帯域のみを通過させる。第２帯域通過フィルタ１１２を通過した送信信号は、スイッチ素子Ｓ２に向けて伝送される。
スイッチ素子Ｓ２は、第２帯域通過フィルタ１１１を通過した信号を終端するかどうかを切り替える。換言すると、スイッチ素子Ｓ２は、高周波回路上における第２帯域通過フィルタ１１２の有効、無効を切り替える。具体的には、スイッチ素子Ｓ２は、上述の送受信機能部から別途入力されるスイッチ制御信号に応じて、伝送線路を電気的に短絡又は開放する。
なお、送受信機能部は、スイッチ素子Ｓ１及びスイッチＳ２を、それぞれ独立して制御可能とする。
【００４０】
スイッチ素子Ｓ２が開放されている場合、第２帯域通過フィルタ１１１を通過した送信信号は、スイッチ素子Ｓ１の開放端で全て（１００％）反射してサーキュレータＣ２に戻される。
一方、スイッチ素子Ｓ２が短絡されている場合、第２帯域通過フィルタ１１２を通過した送信信号は、スイッチ素子Ｓ２を通じて終端器１２２に伝送される。
終端器１２２は、終端器１２１と同様に、入力された送信信号を終端する。
【００４１】
このように、本変形例においては、帯域除去フィルタ（第２帯域通過フィルタ１１１、１１２及び終端器１２１、１２２の組）が、主信号ラインＱから複数分岐して接続されている。
【００４２】
スイッチ素子Ｓ１及びスイッチ素子Ｓ２の両方が短絡されている場合、第１帯域通過フィルタ１０を通過した送信信号のうち、第２帯域通過フィルタ１１１を通過した周波数成分のみが終端器１２１で終端されるとともに、第２帯域通過フィルタ１１２を通過した周波数成分のみが終端器１２２で終端される。
そうすると、第１の実施形態に比べ、主信号ラインＱ上において、第２周波数帯域を除去する構成（帯域除去フィルタ）の数が多いため、不要波が一層除去される。
また、スイッチ素子Ｓ１及びスイッチ素子Ｓ２をそれぞれ独立して制御可能としているので、通信サービスの運用形態に応じて、不要波の除去の程度を所望に変更することができる。
【００４３】
図６は、第１の実施形態の他の変形例に係る通信装置の具体的な機能構成を示す図である。
図６に示すように、本変形例に係る通信装置１は、第１の実施形態の構成に加え、更に、λ／４伝送線路Ｌ１、Ｌ２を備えている。
【００４４】
図６に示すように、λ／４伝送線路Ｌ１、Ｌ２、第２帯域通過フィルタ１１１、終端器１２１は、サーキュレータＣ１からグランドにかけて、λ／４伝送線路Ｌ１、λ／４伝送線路Ｌ２、第２帯域通過フィルタ１１１、終端器１２１の順で直列に接続される。
また、スイッチ素子Ｓ１は、λ／４伝送線路Ｌ１及びλ／４伝送線路Ｌ２の中間点と、グランドとの間に接続される。
【００４５】
スイッチ素子Ｓ１は、第１の実施形態と同様、上述の送受信機能部から別途入力されるスイッチ制御信号に応じて、伝送線路を電気的に短絡又は開放する。
スイッチ素子Ｓ１が短絡されている場合、第２帯域通過フィルタ１１１を通過した送信信号は、λ／４伝送線路Ｌ１を通じてグランドに短絡され、当該グランドで全て（１００％）反射してサーキュレータＣ１に戻される。そうすると、送信信号の全ての周波数成分が第２入出力ポートＰ２に向けて出力されるので、第２帯域通過フィルタ１１１は、通信装置１の高周波回路上において無効化される。
一方、スイッチ素子Ｓ１が開放されている場合、サーキュレータＣ１から出力される送信信号は、λ／４伝送線路Ｌ１及びλ／４伝送線路Ｌ２を経て、第２帯域通過フィルタ１１１に伝送される。
【００４６】
このように、スイッチ素子Ｓ１、第２帯域通過フィルタ１１１及び終端器１２１の接続関係を変更しても、第１の実施形態と同様の効果を得ることができる。
【００４７】
なお、上述の第１の実施形態及び各種変形例に係る通信装置１は、いずれも、主信号ラインＱと、帯域除去フィルタを構成する各種機能構成（第２帯域通過フィルタ１１１等）と、の間にサーキュレータＣ１（Ｃ２）を設ける態様としているが、他の実施形態においてはこの態様に限定されない。
例えば、他の実施形態においては、帯域除去フィルタを構成する各種機能構成は、主信号ラインＱに対し、サーキュレータＣ１を介さずに直接接続される態様であってもよい。
【００４８】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【００４９】
１  通信装置
１０  第１帯域通過フィルタ
１１１、１１２  第２帯域通過フィルタ
１２１、１２２  終端器
Ｃ１、Ｃ２  サーキュレータ
Ｌ、Ｌ１、Ｌ２  λ／４伝送線路
Ｐ１  第１入出力ポート
Ｐ２  第２入出力ポート
Ｑ  主信号ライン
Ｓ１、Ｓ２  スイッチ素子
【図１】
0006547491.tif 000002
【図２】
0006547491.tif 000003
【図３】
0006547491.tif 000004
【図４】
0006547491.tif 000005
【図５】
0006547491.tif 000006
【図６】
0006547491.tif 000007